(57)【特許請求の範囲】
【請求項１】
第一のネットワーク装置の第一の設定情報を受信する設定情報受信部と、
第二の設定情報の送信要求を受け付ける要求受付部と、
前記第一の設定情報の少なくとも一部を前記送信要求に対応する第二のネットワーク装置に適合させた情報を含む前記第二の設定情報を生成する設定情報生成部と、
前記第二の設定情報を送信する設定情報送信部と
を備え、
前記設定情報受信部は、さらに、前記第一のネットワーク装置を特定する第一の装置識別情報を受信し、
前記送信要求は、さらに、前記第一の装置識別情報を含み、
前記設定情報生成部は、受信した前記第一の装置識別情報と前記第一の設定情報とを対応づけて記憶し、前記送信要求の前記第一の装置識別情報に対応する前記第一の設定情報から前記第二の設定情報を生成する
ことを特徴とする設定情報生成装置。
【請求項２】
前記送信要求は、さらに、前記第二のネットワーク装置を特定する第二の装置識別情報を含み、
前記設定情報送信部は、あらかじめ、前記第二の装置識別情報に対応する前記第二のネットワーク装置に無線で接続するための接続初期情報を記憶し、前記送信要求の前記第二の装置識別情報に対応する前記接続初期情報を送信する
ことを特徴とする請求項１に記載の設定情報生成装置。
【請求項３】
第一のネットワーク装置の第一の設定情報を受信する設定情報受信部と、
第二の設定情報の送信要求を受け付ける要求受付部と、
前記第一の設定情報の少なくとも一部を前記送信要求に対応する第二のネットワーク装置に適合させた情報を含む前記第二の設定情報を生成する設定情報生成部と、
前記第二の設定情報を前記第二のネットワーク装置とは別の設定端末へ送信する設定情報送信部と
を備え、
前記送信要求は、前記第二のネットワーク装置を特定する第二の装置識別情報を含み、
前記設定情報送信部は、あらかじめ、前記第二の装置識別情報に対応する前記第二のネットワーク装置に無線で接続するための接続初期情報を記憶し、前記送信要求の前記第二の装置識別情報に対応する前記接続初期情報を前記設定端末へ送信する
ことを特徴とする設定情報生成装置。
【請求項４】
ユーザの操作入力を受け付ける操作受付部と、
第一のネットワーク装置の第一の設定情報を前記第一のネットワーク装置から受信する第一の設定情報受信部と、
前記操作入力に従って前記第一のネットワーク装置とは別の第二のネットワーク装置の第二の設定情報の送信要求を送信する要求送信部と、
前記第二の設定情報を生成する設定情報生成装置へ前記第一の設定情報を送信する第一の設定情報送信部と、
前記第二の設定情報を前記設定情報生成装置から受信する第二の設定情報受信部と、
前記第二の設定情報を前記第二のネットワーク装置へ送信する第二の設定情報送信部と
を備えることを特徴とする設定端末。
【請求項５】
請求項１から請求項３のいずれかに記載の設定情報生成装置と、
第一のネットワーク装置と、
第二のネットワーク装置と、
設定端末と
を備え、
前記設定端末は、
ユーザの操作入力を受け付ける操作受付部と、
前記操作入力に従って第二のネットワーク装置の第二の設定情報の送信要求を送信する要求送信部と、
前記第二の設定情報を受信する第二の設定情報受信部と、
前記第二の設定情報を送信する第二の設定情報送信部と
を備え、
前記設定情報生成装置の前記設定情報受信部は、前記第一のネットワーク装置から前記第一の設定情報を受信し、
前記設定端末の前記要求送信部は、前記設定情報生成装置の前記要求受付部へ前記送信要求を送信し、
前記設定情報生成装置の前記設定情報送信部は、前記設定端末の前記第二の設定情報受信部へ前記第二の設定情報を送信し、
前記設定端末の前記第二の設定情報送信部は、前記第二のネットワーク装置へ前記第二の設定情報を送信する
ことを特徴とする設定システム。
【請求項６】
請求項１から請求項３のいずれかに記載の設定情報生成装置と、
第一のネットワーク装置と、
第二のネットワーク装置と、
請求項４に記載の設定端末と
を備え、
前記設定情報生成装置の前記設定情報受信部は、前記設定端末の前記第一の設定情報送信部から前記第一の設定情報を受信し、
前記設定情報生成装置の前記要求受付部は、前記設定端末の前記要求送信部から前記送信要求を受信し、
前記設定情報生成装置の前記設定情報送信部は、前記設定端末の前記第二の設定情報受信部へ前記第二の設定情報を送信する
ことを特徴とする設定システム。
【請求項７】
設定情報生成装置と、
第一のネットワーク装置と、
第二のネットワーク装置と、
請求項４に記載の設定端末と
を備え、
前記設定情報生成装置は、
第一のネットワーク装置の第一の設定情報を受信する設定情報受信部と、
第二の設定情報の送信要求を受け付ける要求受付部と、
前記第一の設定情報の少なくとも一部を前記送信要求に対応する第二のネットワーク装置に適合させた情報を含む前記第二の設定情報を生成する設定情報生成部と、
前記第二の設定情報を送信する設定情報送信部と
を備え、
前記設定情報生成装置の前記設定情報受信部は、前記設定端末の前記第一の設定情報送信部から前記第一の設定情報を受信し、
前記設定情報生成装置の前記要求受付部は、前記設定端末の前記要求送信部から前記送信要求を受信し、
前記設定情報生成装置の前記設定情報送信部は、前記設定端末の前記第二の設定情報受信部へ前記第二の設定情報を送信する
ことを特徴とする設定システム。
【請求項８】
第一のネットワーク装置の第一の設定情報および前記第一のネットワーク装置を特定する第一の装置識別情報を受信し、
第二の設定情報の送信要求を受け付け、
前記送信要求は、前記第一の装置識別情報を含み、
受信した前記第一の装置識別情報と前記第一の設定情報とを対応づけて記憶し、前記送信要求の前記第一の装置識別情報に対応する前記第一の設定情報から前記第一の設定情報の少なくとも一部を前記送信要求に対応する第二のネットワーク装置に適合させた情報を含む前記第二の設定情報を生成し、
前記第二の設定情報を送信する
ことを特徴とする設定情報生成方法。
【請求項９】
第一のネットワーク装置の第一の設定情報を受信し、
第二の設定情報の送信要求を受け付け、
前記送信要求は、第二のネットワーク装置を特定する第二の装置識別情報を含み、
前記第一の設定情報の少なくとも一部を前記送信要求に対応する第二のネットワーク装置に適合させた情報を含む前記第二の設定情報を生成し、
前記第二の設定情報を前記第二のネットワーク装置とは別の設定端末へ送信し、
あらかじめ、前記第二の装置識別情報に対応する前記第二のネットワーク装置に無線で接続するための接続初期情報を記憶し、前記送信要求の前記第二の装置識別情報に対応する前記接続初期情報を前記設定端末へ送信する
ことを特徴とする設定情報生成方法。
【請求項１０】
ユーザの操作入力を受け付け、
第一のネットワーク装置の第一の設定情報を前記第一のネットワーク装置から受信し、
前記操作入力に従って前記第一のネットワーク装置とは別の第二のネットワーク装置の第二の設定情報の送信要求を送信し、
前記第二の設定情報を生成する設定情報生成装置へ前記第一の設定情報を送信し、
前記第二の設定情報を前記設定情報生成装置から受信し、
前記第二の設定情報を前記第二のネットワーク装置へ送信する
ことを特徴とする設定方法。
【発明の詳細な説明】
【技術分野】
【０００１】
本発明は、ネットワーク装置を交換する際の設定を行う設定情報生成装置、方法、設定端末および方法に関する。
【背景技術】
【０００２】
インターネットへ接続するためには、まず、ブロードバンドルータなどのネットワーク装置の設定を行う必要がある。たとえば、契約プロバイダからの情報をもとにＰＰＰｏＥ（Point-to-Point Protocol over Ethernet（登録商標））の設定や、ＤＮＳ（Domain Name System）サーバーの設定などを行う必要がある。
【０００３】
また、無線機器の普及により、一般家庭でも家庭内ネットワークが構成され、ネットワーク装置に多くの無線機器が接続しているケースも多くなっている。
【０００４】
図１７は、家庭内ネットワークの接続構成の例である。この例では、ネットワーク装置２０に、パソコン８１、８２、スマートフォン８３、８５が無線で、プリンタ８４、電話機８６、テレビ８７、レコーダー８８が有線ＬＡＮ（Local Area Network）もしくは無線ＬＡＮで接続されている。これらの機器は、ネットワーク装置２０を経由して、インターネット５０につながっている。
【０００５】
ここで、ネットワーク装置２０が故障や新機種への変更などで新しいネットワーク装置３０へ交換された場合、まず、新しいネットワーク装置３０に対してインターネット接続の設定を行う必要がある。具体的には、ＰＰＰｏＥの設定やＤＮＳサーバーの設定などを含めた細かな設定を行う必要がある。また、ネットワーク装置３０のＳＳＩＤ（Service Set Identifier）、暗号化キー、ＩＰ（Internet Protocol）アドレスが交換前のネットワーク装置２０と異なる場合、ネットワーク装置に接続する全ての無線機器の無線設定をやり直す必要がある。
【０００６】
ネットワーク装置の設定情報をネットワーク装置に接続されたパソコンにバックアップできる場合であっても、手動でバックアップを行うには手間がかかる。また、交換前とは異なる機種のネットワーク装置に変更した場合には、必要な設定情報の種類やフォーマットは機種ごとに異なるため、バックアップした設定情報をそのまま新しいネットワーク装置で使うことができない。
【０００７】
ネットワーク装置のネットワーク設定をやりなおす方法として、特許文献１に記載の方法では、バックアップサーバに設定を保存しておき、ネットワーク装置に障害が発生したときに保守端末から設定をネットワーク装置に送り、ネットワーク装置を復旧させている。
【先行技術文献】
【特許文献】
【０００８】
【特許文献１】特開2006-135626号公報
【発明の概要】
【発明が解決しようとする課題】
【０００９】
しかし、特許文献１に記載の方法では、バックアップサーバにバックアップしていた設定をそのままネットワーク装置に送る。そのため、異なる機種のネットワーク装置へ交換する場合には、この方法は使用することができない。
【００１０】
本発明の目的は、ネットワーク装置を交換する際の設定の手間を軽減し、異なる機種への交換であっても設定を行うことを可能とする、設定情報生成装置、方法、設定端末および方法を提供することにある。
【課題を解決するための手段】
【００１１】
上述の問題を解決するために、本発明の設定情報生成装置は、第一のネットワーク装置の第一の設定情報を受信する設定情報受信部と、第二の設定情報の送信要求を受け付ける要求受付部と、前記第一の設定情報の少なくとも一部を前記送信要求に対応する第二のネットワーク装置に適合させた情報を含む前記第二の設定情報を生成する設定情報生成部と、前記第二の設定情報を送信する設定情報送信部とを備えることを特徴とする。
【００１２】
また、本発明の設定端末は、ユーザの操作入力を受け付ける操作受付部と、前記操作入力に従って第二のネットワーク装置の第二の設定情報の送信要求を送信する要求送信部と、前記第二の設定情報を受信する第二の設定情報受信部と、前記第二の設定情報を送信する第二の設定情報送信部とを備えることを特徴とする。
【００１３】
また、本発明の設定情報生成方法は、第一のネットワーク装置の第一の設定情報を受信し、第二の設定情報の送信要求を受け付け、前記第一の設定情報の少なくとも一部を前記送信要求に対応する第二のネットワーク装置に適合させた情報を含む前記第二の設定情報を生成し、前記第二の設定情報を送信することを特徴とする。
【００１４】
また、本発明の設定方法は、ユーザの操作入力を受け付け、前記操作入力に従って第二のネットワーク装置の第二の設定情報の送信要求を送信し、前記第二の設定情報を受信し、前記第二の設定情報を送信することを特徴とする。
【発明の効果】
【００１５】
本発明の設定情報生成装置、方法、設定端末および方法により、ネットワーク装置を交換する際の設定の手間を軽減し、異なる機種への交換であっても設定を行うことが可能になる。
【図面の簡単な説明】
【００１６】
【図１】本発明の第一から第五の実施形態の設定情報生成装置の構成例を示す図である。
【図２】本発明の第一から第五の実施形態の設定情報生成装置の動作例を示す図である。
【図３】本発明の第二および第三の実施形態の設定システムの構成例を示す図である。
【図４】本発明の第二から第五の実施形態のネットワーク装置の構成例を示す図である。
【図５】本発明の第二から第五の実施形態のネットワーク装置の構成例を示す図である。
【図６】本発明の第二から第五の実施形態のネットワーク装置の他の構成例を示す図である。
【図７】本発明の第二および第三の実施形態のネットワーク装置の構成要素の例を示す図である。
【図８】本発明の第二から第四の実施形態の設定端末の構成例を示す図である。
【図９】本発明の第二の実施形態の設定システムの他の構成例を示す図である。
【図１０】本発明の第二から第四の実施形態の設定システムの動作例を示す図である。
【図１１】本発明の第二から第四の実施形態の設定情報生成装置の情報の例を示す図である。
【図１２】本発明の第四の実施形態の設定システムの構成例を示す図である。
【図１３】本発明の第四の実施形態のネットワーク装置の構成要素の例を示す図である。
【図１４】本発明の第五の実施形態の設定システムの構成例を示す図である。
【図１５】本発明の第五の実施形態の設定端末の構成例を示す図である。
【図１６】本発明の第五の実施形態の設定システムの動作例を示す図である。
【図１７】家庭内ネットワークの例を示す図である。
【発明を実施するための形態】
【００１７】
［第一の実施形態］
本発明の第一の実施の形態について説明する。
【００１８】
図１に本実施形態の設定情報生成装置１０の構成例を示す。
【００１９】
設定情報生成装置１０は、設定情報受信部１１、要求受付部１２、設定情報生成部１３および設定情報送信部１４により構成される。設定情報受信部１１は、第一のネットワーク装置の第一の設定情報を受信する部分である。要求受付部１２は、第二の設定情報の送信要求を受け付ける部分である。設定情報生成部１３は、第一の設定情報の少なくとも一部を送信要求に対応する第二のネットワーク装置に適合させた情報を含む第二の設定情報を生成する部分である。設定情報送信部１４は、第二の設定情報を送信する部分である。
【００２０】
このように設定情報生成装置１０を構成することによって、ネットワーク装置を交換する際の設定の手間を軽減し、異なる機種への交換であっても設定を行うことが可能になる。
【００２１】
次に、図２に本実施形態の設定情報生成装置１０の動作の例を示す。
【００２２】
まず、設定情報受信部１１が、第一のネットワーク装置の第一の設定情報を受信する（ステップＳ１０１）。また、要求受付部１２が、第二の設定情報の送信要求を受け付ける（ステップＳ１０２）。次に、設定情報生成部１３が、第一の設定情報の少なくとも一部を送信要求に対応する第二のネットワーク装置に適合させた情報を含む第二の設定情報を生成する（ステップＳ１０３）。そして、設定情報送信部１４が、第二の設定情報を送信する（ステップＳ１０４）。
【００２３】
このように設定情報生成装置１０を動作させることによって、ネットワーク装置を交換する際の設定の手間を軽減し、異なる機種への交換であっても設定を行うことが可能になる。
【００２４】
以上で説明したように、本発明の第一の実施形態では、第一のネットワーク装置の第一の設定情報の少なくとも一部を第二のネットワーク装置に適合させた情報を含む第二の設定情報を生成する。そのため、ネットワーク装置を交換する際の設定の手間を軽減し、異なる機種への交換であっても設定を行うことが可能になる。
【００２５】
［第二の実施形態］
次に、本発明の第二の実施の形態について説明する。
【００２６】
本実施形態では、第一の実施形態の設定情報生成装置１０について、具体例を挙げて説明する。
【００２７】
図３に本実施形態の設定システムの構成例を示す。
【００２８】
このシステムは、設定情報生成装置１０、ネットワーク装置２０、ネットワーク装置３０および設定端末４０により構成される。設定情報生成装置１０およびネットワーク装置２０はインターネット５０に接続し、設定端末４０はモバイルネットワーク６０を介してインターネット５０に接続している。ネットワーク装置２０は交換前のネットワーク装置（第一のネットワーク装置）、ネットワーク装置３０は交換予定の新しいネットワーク装置（第二のネットワーク装置）を示す。
【００２９】
ネットワーク装置２０をネットワーク装置３０に交換する際、新しいネットワーク装置３０はネットワーク設定が終わるまでインターネット５０に接続できない。そのため、本実施形態では、モバイルネットワーク６０への接続手段を備える設定端末４０が、モバイルネットワーク６０経由で設定情報生成装置１０からネットワーク装置３０の設定情報を取得する。そして、ネットワーク接続前にネットワーク装置３０と設定端末４０との間で確立可能な接続手段、たとえば、無線ＬＡＮやＢｌｕｅｔｏｏｔｈ（登録商標）、赤外線通信等を介して、設定端末４０からネットワーク装置３０に設定情報を送信する。モバイルネットワーク６０は、３Ｇ（3rd Generation）やＬＴＥ（Long Term Evolution）といった、移動体通信事業者が提供するネットワークを示す。設定端末４０としては、設定専用の端末であっても良いが、携帯電話やスマートフォンなど、ユーザが所持している通信端末を使用可能である。
【００３０】
図４に本実施形態の交換前のネットワーク装置２０の構成例を示す。
【００３１】
ネットワーク装置２０は、設定情報記憶部２１および設定情報送信部２２により構成される。設定情報記憶部２１は、設定情報を記憶する部分である。設定情報送信部２２は、設定情報を送信する部分である。設定情報送信部２２は、設定情報記憶部２１に記憶された設定情報を設定情報生成装置１０へ送信する。
【００３２】
ネットワーク装置２０から設定情報生成装置１０への設定情報の送信は、ネットワーク装置２０の故障前にあらかじめ行っておく必要がある。そのため、設定情報が変更される都度、設定情報生成装置１０に送信し、設定情報生成装置１０に記憶させておくと良い。
【００３３】
図５に本実施形態の新しいネットワーク装置３０の構成例を示す。
【００３４】
ネットワーク装置３０は、設定情報受信部３３および設定情報記憶部２１により構成される。設定情報受信部３３は、設定情報を受信する部分である。設定情報記憶部２１は、設定情報を記憶する部分である。ネットワーク装置３０の設定情報受信部３３は、設定端末４０から設定情報を受信し、受信した設定情報に基づいてネットワーク装置３０のネットワーク設定を行い、設定情報をネットワーク装置３０の設定情報記憶部２１に記憶させる。
【００３５】
ネットワーク装置２０およびネットワーク装置３０は、それぞれの構成を統合して、図６のネットワーク装置７０のように構成することも可能である。
【００３６】
図７は、ネットワーク装置２００の構成要素の例を示す図である。
【００３７】
ネットワーク装置２００は、大まかにＣＰＵ（Central Processing Unit）２０１、ＲＡＭ（Random Access Memory）２０５、不揮発性メモリ２０６、無線回路２０７、および、ＷＡＮ（Wide Area Network）／ＬＡＮポート２０８により構成される。ＣＰＵ２０１のメモリコントローラ２０２よりＲＡＭ２０５および不揮発性メモリ２０６を制御し、無線ＬＡＮコントローラ２０３より無線回路２０７を制御し、Ｌ２ＳＷ（layer 2 switch）２０４よりＷＡＮ／ＬＡＮポート２０８を制御する。不揮発性メモリ２０６が図４、図５の設定情報記憶部２１に、Ｌ２ＳＷ２０４およびＷＡＮ／ＬＡＮポート２０８が図４の設定情報送信部２２に、無線ＬＡＮコントローラ２０３および無線回路２０７が図５の設定情報受信部３３に相当する。
【００３８】
一般的にユーザがネットワーク装置の設定を変更した場合、不揮発性メモリ２０６、たとえばＦｌａｓｈＲＯＭ（Read-Only Memory）などに格納されている設定情報の値が変更される。ネットワーク装置は、不揮発性メモリ２０６に格納されている設定情報を電源投入時等に読み出し、その設定情報に基づいて動作する。本実施形態では、ユーザの操作を介することなく、ネットワーク装置２０の設定情報記憶部２１（不揮発性メモリ２０６）に格納された設定情報を設定情報生成装置１０へバックアップする。
【００３９】
図８に設定端末４０の構成例を示す。設定端末４０は、操作受付部４１、要求送信部４２、設定情報受信部４３および設定情報送信部４４により構成される。
【００４０】
操作受付部４１は、ユーザ操作を受け付ける部分である。本実施形態では、設定情報生成装置１０へネットワーク装置３０の設定情報を要求する操作を受け付ける。要求送信部４２は、設定情報生成装置１０へネットワーク装置３０の設定情報の送信要求を行う部分である。設定情報受信部４３は、設定情報生成装置１０からネットワーク装置３０の設定情報を受信する部分である。設定情報送信部４４は、ネットワーク装置３０へ設定情報を送信する部分である。本実施形態では、無線ＬＡＮを使用して設定情報をネットワーク装置３０へ送信する。
【００４１】
設定端末４０が設定情報の送信要求を行う時や設定情報を受信する時には、ネットワーク装置３０のネットワーク設定が終わっていないため、ネットワーク装置３０はインターネット５０に接続していない状態である。そのため、他の接続手段、たとえば、３ＧやＬＴＥ等のモバイルネットワーク６０経由で、設定情報生成装置１０に対して、設定情報送信要求や設定情報受信を行う。交換前のネットワーク装置２０がまだインターネット５０に接続している状態のときは、図９のように、設定端末４０を無線で交換前のネットワーク装置２０に接続することでインターネット５０に接続し、設定情報要求や設定情報受信を行っても良い。以降の説明では、設定端末４０がモバイルネットワーク６０経由で設定情報生成装置１０に接続することを前提に説明を行う。
【００４２】
本実施形態の設定情報生成装置１０の構成例は、図１の構成例と同様である。設定情報受信部１１は、ネットワーク装置２０の設定情報を受信して記憶する。要求受付部１２は、設定端末４０から、ネットワーク装置３０の設定情報の送信要求を受け付ける。設定情報生成部１３は、交換前のネットワーク装置２０の設定情報の少なくとも一部を新しいネットワーク装置３０に適合させた情報を含む新しいネットワーク装置３０の設定情報を生成する。そして、設定情報送信部１４は、ネットワーク装置３０の設定情報を設定端末４０へ送信する。
【００４３】
この設定情報生成装置１０は、たとえば、ネットワーク装置の提供元（販売元）が管理することが可能である。このようにすると、あらかじめ、個々のネットワーク装置を識別可能な装置識別情報と、出荷時の装置固有の情報を対応付けて設定情報生成装置１０に記憶させておくことが可能となる。
【００４４】
装置識別情報としては、製造番号や、別途設定された固有番号等が利用可能である。また、装置固有情報としては、製品型名、仕様、ＭＡＣ（Media Access Control）アドレス、工場出荷時のＳＳＩＤ、暗号化キー、ＩＰアドレスなどが考えられる。さらに、設定情報として必要な項目、設定情報が設定情報記憶部２１（不揮発性メモリ２０６）のどこに格納されているかの格納場所や格納形式等、設定情報を生成するための生成用情報についても設定情報生成装置１０に記憶させておくことが可能である。
【００４５】
ネットワーク装置の製品ごとに、設定情報として必要な項目や不揮発性メモリ内の格納場所、格納形式は異なる。設定情報生成装置１０に装置識別情報と生成用情報を対応づけて記憶させておくことにより、装置識別情報から、設定情報として必要な項目や、その設定情報を不揮発性メモリ２０６のどこにどのような形式で設定すれば良いかがわかる。そして、交換前のネットワーク装置２０の設定情報に基づいて、新しいネットワーク装置３０の格納形式に合った設定情報を生成する。この設定情報にネットワーク装置３０の不揮発性メモリ２０６の格納場所も含めることにより、ネットワーク装置３０の不揮発性メモリ２０６の格納場所に、設定情報を書き込むことが可能になる。同じメーカのネットワーク装置であれば、メーカが用意した設定情報生成装置１０で上述の生成用情報を容易に管理可能なため、ネットワーク装置がどの機種からどの機種へ変更されたのかを確認でき、必要な設定情報の形式に変更することが可能である。
【００４６】
このように設定情報生成装置１０、ネットワーク装置２０、ネットワーク装置３０および設定端末４０を構成することによって、ネットワーク装置を交換する際の設定の手間を軽減し、異なる機種への交換であっても設定を行うことが可能になる。
【００４７】
次に、図１０を用いて、本実施形態の設定情報生成装置１０、交換前のネットワーク装置２０、新しいネットワーク装置３０および設定端末４０の動作の例について説明する。
【００４８】
まず、交換前のネットワーク装置２０から設定情報生成装置１０へ設定情報を送信する動作の例について説明する。
【００４９】
設定情報の送信に先立ち、交換前のネットワーク装置２０と設定情報生成装置１０の間の接続手段、図３の例の場合、ネットワーク装置２０とインターネット５０の接続を確立する（ステップＳ２０１）。
【００５０】
また、設定情報生成装置１０とネットワーク装置２０との間で認証を行う（ステップＳ２０２）。たとえば、設定情報生成装置１０にあらかじめ接続可能なネットワーク装置のＭＡＣアドレスを記憶させておき、認証時に、ネットワーク装置２０のＭＡＣアドレスを設定情報生成装置１０へ送信する。このようにすることにより、設定情報生成装置１０への接続が許可されているネットワーク装置であることを確認することが可能である。
【００５１】
次に、ネットワーク装置２０は、ＰＰＰｏＥの設定、ＤＮＳの設定、ＩＰアドレス、ＳＳＩＤ、暗号化キー等、ネットワーク設定に必要な情報を設定情報記憶部２１から読み出し、任意のフォーマットで設定情報生成装置１０へ送信する（ステップＳ２０３）。設定情報生成装置１０は、ネットワーク装置２０からの設定情報を受信する。このステップＳ２０３は、ネットワーク装置２０の設定に変更が生じた時点で、自動的に行うものとする。設定情報を暗号化することで第三者に見られないようにするなどは任意に設定可能とする。
【００５２】
このとき、設定情報とともにネットワーク装置２０の装置識別情報を設定情報生成装置１０に送信することで、設定情報生成装置１０では個別のネットワーク装置ごとに設定情報を記憶することが可能となる。ネットワーク装置のモデルが異なれば、ネットワーク設定に必要な設定情報も異なるが、ネットワーク装置２０の提供元が設定情報生成装置１０を管理することで、モデル別の設定情報の把握が容易になる。
【００５３】
次に、設定情報をネットワーク装置３０に送信するまでの動作の例について説明する。
【００５４】
まず、設定情報生成装置１０と設定端末４０との間の接続を確立する（ステップＳ２０４）。図３の例の場合、設定端末４０をモバイルネットワーク６０に接続する。
【００５５】
また、設定情報生成装置１０と設定端末４０との間で認証を行う（ステップＳ２０５）。たとえば、設定情報生成装置１０への設定情報送信要求用に、専用ＵＲＬ（Uniform Resource Locator）、専用ＩＤ（identification）、専用パスワードをあらかじめ発行しておく。そして、専用ＵＲＬへのアクセス時に専用ＩＤ、専用パスワードを入力させることによって認証を行うことが可能である。専用ＵＲＬ、専用ＩＤ、専用パスワードは、たとえば、ネットワーク装置２０の販売時や、初めてネットワーク装置２０から設定情報生成装置１０へ設定情報を送信する際などに発行しておくことが可能である。また、この認証時、設定端末４０のＭＡＣアドレスを設定情報生成装置１０に送信しておくことで、２回目以降の専用ＵＲＬへのアクセスにおける、専用ＩＤ、専用パスワードでの認証を不要とし、ＭＡＣアドレスで認証を行うことが可能である。また、設定端末４０のＭＡＣアドレスをあらかじめ設定情報生成装置１０に登録しておけば、専用ＩＤ、専用パスワードでの認証の代わりにＭＡＣアドレスで認証することも可能である。
【００５６】
そして、設定端末４０の操作受付部４１は、ユーザの操作を受け付け、設定情報生成装置１０へネットワーク装置３０の設定情報の送信を要求する（ステップＳ２０６）。このとき、ユーザは、新しいネットワーク装置３０の装置識別情報を設定端末４０に対して入力する。たとえば、前述の専用ＵＲＬに装置識別情報を入力することによって、送信要求を行う。
【００５７】
また、合わせて交換前のネットワーク装置２０の装置識別情報を登録することで、設定情報生成装置１０は、記憶しているネットワーク装置２０の設定情報からネットワーク装置３０の設定情報を生成することができる。このとき、装置識別情報を暗号化することで第三者に見られないようにするなどは任意に設定可能とする。
【００５８】
次に、設定情報生成装置１０は、設定端末４０からの送信要求を受け付け（図２のステップＳ１０２）、ネットワーク装置３０用の設定情報を生成する（図２のステップＳ１０３、図１０のステップＳ２０７）。図１１に設定情報生成装置１０で生成する設定情報の例を示す。設定情報生成装置１０では、交換前のネットワーク装置２０の製造番号と設定情報を受信する。また、設定端末４０からの送信要求において、新しいネットワーク装置３０の製造番号と交換前のネットワーク装置２０の製造番号を受信する。そして、ネットワーク装置２０の設定情報に基づいて、新しいネットワーク装置３０の設定情報を生成する。
【００５９】
そして、設定情報生成装置１０は、生成した設定情報を設定端末４０へ送信する（図２のステップＳ１０４、図１０のステップＳ２０８）。たとえば、設定情報生成後に上述の専用ＵＲＬから設定情報を設定端末４０へダウンロードできるようにしても良い。
【００６０】
また、上述の専用ＵＲＬで設定情報の送信要求を行う際に、設定端末４０のメールアドレスを登録することで、設定情報生成装置１０から設定端末４０にメール送信が可能になる。そして、設定情報生成装置１０から設定端末４０へ送信するメールに設定情報ダウンロード用ＵＲＬを記載して送信し、設定端末４０からそのダウンロード用ＵＲＬへアクセスすることによって、必要な情報をダウンロードできるようにすることも可能である。
【００６１】
このとき、さらに、ネットワーク装置３０への設定用アプリケーションを設定端末４０にダウンロードすることで、ネットワーク装置３０への設定も容易に行うことが可能になる。
【００６２】
次に、設定端末４０は、新しいネットワーク装置３０との接続、たとえば無線ＬＡＮ接続を確立する（ステップＳ２０９）。このステップＳ２０９は、ステップＳ２０８の後ではなく、たとえば、送信要求（ステップＳ２０６）を行う際等に行っても良い。ここでは、たとえば、設定端末４０に対してユーザがネットワーク装置３０のＳＳＩＤ、暗号化キー、ＩＰアドレスの初期値を入力することによって、設定端末４０をネットワーク装置３０に接続することが可能である。
【００６３】
そして、設定端末４０は、設定情報生成装置１０から受信した設定情報をネットワーク装置３０へ送信する（ステップＳ２１０）。そして、ネットワーク装置３０は受信した設定情報に基づき、ネットワーク設定を行う（ステップＳ２１１）。
【００６４】
ステップＳ２１１において、ネットワーク装置３０は、設定情報記憶部２１（不揮発性メモリ２０６）に新しい設定を書き込む。設定情報生成装置１０において、ネットワーク装置３０に対応した設定情報を生成しているため、ネットワーク装置３０では、単純に不揮発性メモリ２０６の指定されたアドレスに設定情報を書き込むだけで、設定を行うことが可能である。
【００６５】
ここで、ネットワーク装置２０のＳＳＩＤ、暗号化キー、ＩＰアドレス等をネットワーク装置３０に設定することになるため、ネットワーク装置２０に接続していた無線機器は、最小限の設定変更でネットワーク装置３０に接続することが可能になる。設定端末４０は、ネットワーク装置３０への設定完了後に自身に設定したＳＳＩＤ等を、ネットワーク装置３０の工場出荷時の値から設定情報生成装置１０から受信した設定情報に変更することで、ネットワーク装置３０へ接続が可能になる。
【００６６】
なお、本実施形態では、設定情報生成装置１０から設定端末４０への設定情報送信をユーザの送信要求操作により行う場合について説明したが、場合によっては、設定端末４０が定期的に設定情報生成装置１０にアクセスし、設定情報を受信する方法も可能である。
【００６７】
このように設定情報生成装置１０、ネットワーク装置２０、ネットワーク装置３０および設定端末４０を動作させることによって、ネットワーク装置を交換する際の設定の手間を軽減し、異なる機種への交換であっても設定を行うことが可能になる。
【００６８】
以上で説明したように、本発明の第二の実施形態でも、第一の実施形態と同様に、第一の（交換前の）ネットワーク装置の第一の設定情報の少なくとも一部を第二の（新しい）ネットワーク装置に適合させた情報を含む第二の設定情報を生成する。そのため、ネットワーク装置を交換する際の設定の手間を軽減し、異なる機種への交換であっても設定を行うことが可能になる。
【００６９】
また、交換前のネットワーク装置の設定情報から新しいネットワーク装置の設定情報を生成して設定するため、交換前のネットワーク装置に接続していた他の無線機器は、最小限の設定変更で新しいネットワーク装置に接続することが可能になる。
【００７０】
さらに、設定情報生成装置１０からネットワーク装置３０へ設定情報を送信する際に設定端末４０を経由させることで、インターネットに接続していないネットワーク装置３０に対する設定を行うことが可能になる。
【００７１】
［第三の実施形態］
次に、本発明の第三の実施の形態について説明する。
【００７２】
本実施形態は、第二の実施形態とほぼ同様である。本実施形態では、設定端末４０と新しい端末ネットワーク装置３０との間の接続をユーザ設定ではなく自動化する点が第二の実施形態と異なる。
【００７３】
設定情報生成装置１０では、あらかじめ、ネットワーク装置３０に無線ＬＡＮで接続するための接続初期情報、たとえば、ネットワーク装置３０の工場出荷時のＩＰアドレス、ＳＳＩＤ、暗号キー等、を記憶しておく。ネットワーク装置３０の提供元が設定情報生成装置１０を管理することで、これらの情報は、容易に入手して設定情報生成装置１０に記憶させておくことが可能である。
【００７４】
そして、設定情報生成装置１０から設定端末４０へ設定情報を送信する際（図１０のステップＳ２０８）に、ネットワーク装置３０の工場出荷時のＩＰアドレス、ＳＳＩＤ、暗号キー等も合わせて送信する。設定端末４０とネットワーク装置３０との間の接続を確立する際（ステップＳ２０９）に、受信した工場出荷時のＩＰアドレス、ＳＳＩＤ、暗号キー等を用いることで、設定端末４０とネットワーク装置３０の間の接続を自動で行うことが可能になる。
【００７５】
以上で説明したように、本発明の第三の実施形態でも、第一、第二の実施形態と同様に、第一の（交換前の）ネットワーク装置の第一の設定情報の少なくとも一部を第二の（新しい）ネットワーク装置に適合させた情報を含む第二の設定情報を生成する。そのため、ネットワーク装置を交換する際の設定の手間を軽減し、異なる機種への交換であっても設定を行うことが可能になる。
【００７６】
また、交換前のネットワーク装置の設定情報から新しいネットワーク装置の設定情報を生成して設定するため、交換前のネットワーク装置に接続していた他の無線機器は、最小限の設定変更で新しいネットワーク装置に接続することが可能になる。
【００７７】
さらに、本実施形態では、新しいネットワーク装置に接続するための接続初期情報を設定情報生成装置から設定端末に送信するため、新しいネットワーク装置と設定端末との間の通信を自動で確立することが可能になる。
【００７８】
［第四の実施形態］
次に、本発明の第四の実施の形態について説明する。
【００７９】
本実施形態では、設定端末４０と新たなネットワーク装置３０との間の接続に、無線ＬＡＮではなく、近距離無線を使用する。近距離無線としては、ＮＦＣ（Near Field Communication）、ＲＦＩＤ（radio frequency identifier）、Ｆｅｌｉｃａ（登録商標）、ＭＩＦＡＲＥ（登録商標）等を使用可能である。
【００８０】
以下、本実施形態では、ＮＦＣを使用する場合を例に説明する。
【００８１】
図１２に本実施形態の設定システムの構成例を示す。第二の実施形態の設定システムの構成例（図３）に対して、ネットワーク装置３０と設定端末４０との通信にＮＦＣを使用する点のみが異なっている。
【００８２】
設定情報生成装置１０、ネットワーク装置２０、ネットワーク装置３０、設定端末４０の構成例はそれぞれ図１、図４、図５、図８と同様である。本実施形態の設定端末４０の設定情報送信部４４は、無線ＬＡＮではなくＮＦＣを用いてネットワーク装置３０へ設定情報を送信する。また、ネットワーク装置３０の設定情報受信部３３は、無線ＬＡＮを使用して設定情報を受信するのではなく、ネットワーク装置３０が備えるＮＦＣタグに書き込まれた設定情報を読み出す。
【００８３】
図１３にネットワーク装置３０の構成要素の例（ネットワーク装置３００）を示す。第二の実施形態のネットワーク装置２００の構成要素の例（図７）との差分は、ＮＦＣコントローラ３０９およびＮＦＣタグ３１０を追加している点である。
【００８４】
ＮＦＣコントローラ３０９は、ＮＦＣタグ３１０に対して情報を書き込んだり読み出したりする部分である。ＮＦＣコントローラ３０９およびＮＦＣタグ３１０は、図５のネットワーク装置３０の設定情報受信部３３に該当する。設定情報受信部３３は、第二および第三の実施形態では、無線ＬＡＮコントローラおよび無線回路２０７に該当していたが、本実施形態では、ＮＦＣコントローラ３０９およびＮＦＣタグ３１０に該当する。
【００８５】
このように設定情報生成装置１０、ネットワーク装置２０、ネットワーク装置３０および設定端末４０を構成することにより、ネットワーク装置を交換する際の設定の手間を軽減し、異なる機種への交換であっても設定を行うことが可能になる。
【００８６】
次に、本実施形態の設定システムの動作の例について、図１０を用いて説明する。ステップＳ２０１からステップＳ２０８まで、およびステップＳ２１１については第二の実施形態の説明と同様である。
【００８７】
本実施形態では、ステップＳ２０９およびＳ２１０において、無線ＬＡＮではなくＮＦＣを使用して、設定端末４０からネットワーク装置３０のＮＦＣタグへ設定情報を書き込む。具体的には、設定端末４０の設定情報送信部４４がＮＦＣタグへの書き込み機能を持ち、ＮＦＣタグ３１０に対して設定情報を書き込む。そして、ネットワーク装置３０の電源投入後に、ＮＦＣコントローラ３０９がＮＦＣタグ３１０に書き込まれた設定情報を読み出す。その設定情報をネットワーク装置３０の不揮発性メモリ２０６に書き込むことで、自動的にネットワーク装置３０のネットワーク設定が完了する。
【００８８】
このように設定情報生成装置１０、ネットワーク装置２０、ネットワーク装置３０および設定端末４０を動作させることにより、ネットワーク装置を交換する際の設定の手間を軽減し、異なる機種への交換であっても設定を行うことが可能になる。
【００８９】
以上で説明したように、本発明の第四の実施形態でも、第二から第四の実施形態と同様に、第一のネットワーク装置の第一の設定情報の少なくとも一部を第二のネットワーク装置に適合させた情報を含む第二の設定情報を生成する。そのため、ネットワーク装置を交換する際の設定の手間を軽減し、異なる機種への交換であっても設定を行うことが可能になる。
【００９０】
また、交換前のネットワーク装置の設定情報から新しいネットワーク装置の設定情報を生成して設定するため、交換前のネットワーク装置に接続していた他の無線機器は、最小限の設定変更で新しいネットワーク装置に接続することが可能になる。
【００９１】
［第五の実施形態］
次に、本発明の第五の実施の形態について説明する。
【００９２】
第二から第四の実施形態では、交換前のネットワーク装置２０の設定情報をインターネット経由で設定情報生成装置１０へ記憶させていた。これに対し、本実施形態では、設定情報をネットワーク装置２０のＮＦＣタグに書き込んでバックアップし、ネットワーク装置３０へのネットワーク設定時に設定端末４０がネットワーク装置２０のＮＦＣタグから設定情報を読み出す。
【００９３】
図１４に本実施形態の設定システムの構成例を示す。第二の実施形態の設定システムの構成例（図９）との差分は、ネットワーク装置２０はインターネット５０への接続が不要で、ネットワーク装置２０から設定端末７０への設定情報の送信をＮＦＣで行う点である。本実施形態では、ネットワーク装置２０の設定情報のバックアップをネットワーク装置２０のＮＦＣタグで行う。そして、ネットワーク装置３０のネットワーク設定時に、設定端末７０がネットワーク装置２０のＮＦＣタグから設定情報を読み出し、設定情報生成装置１０で新しいネットワーク装置３０への設定情報を生成した後、ネットワーク装置３０へ設定情報を送信する。なお、設定端末７０からネットワーク装置３０への設定情報送信手段には、第四の実施形態のように近距離無線を用いても良い。
【００９４】
本実施形態の設定情報生成装置１０、ネットワーク装置２０、ネットワーク装置３０の構成例はそれぞれ図１、図４、図５と同様である。本実施形態では、交換前のネットワーク装置２０の設定情報送信部２２における設定情報の送信をＮＦＣで行う。
【００９５】
ネットワーク装置２０の構成要素の例は図１３と同様である。ＮＦＣコントローラ３０９およびＮＦＣタグ３１０が図４の設定情報送信部２２に該当する。第二の実施形態では、設定情報送信部２２はＬ２ＳＷ２０４およびＷＡＮ／ＬＡＮポート２０８に該当していたが、本実施形態ではＮＦＣコントローラ３０９およびＮＦＣタグ３１０に該当する。そして、ＮＦＣタグ３１０が設定情報のバックアップを行う。
【００９６】
図１５に本実施形態の設定端末７０の構成例を示す。第二から第四の実施形態の設定端末４０（図８）との差分は、設定情報受信部および設定情報送信部が２組ある点である。第二の設定情報受信部７３および第二の設定情報送信部７４は、図８の設定情報受信部４３および設定情報送信部４４に該当する。第一の設定情報受信部７５と第一の設定情報送信部７６が本実施形態で追加した部分である。
【００９７】
第一の設定情報受信部７５は、操作受付部４１で受け付けたユーザの指示に従って、ネットワーク装置２０から設定情報を受信する部分である。第一の設定情報受信部７５はＮＦＣタグを読み取る機能を持ち、ネットワーク装置２０のＮＦＣタグから設定情報を読み取る。
【００９８】
第一の設定情報送信部７６は、ネットワーク装置２０から受信した設定情報を設定情報生成装置１０へ送信する部分である。ここで送信した設定情報に基づいて、設定情報生成装置１０では新たなネットワーク装置３０の設定情報を生成して送信する。
【００９９】
第二の設定情報受信部７３は、設定情報生成装置１０からネットワーク装置３０の設定情報を受信する部分である。本実施形態では、モバイルネットワーク６０を経由して受信する。
【０１００】
第二の設定情報送信部７４は、第二の設定情報受信部７３で受信したネットワーク装置３０の設定情報をネットワーク装置３０へ送信する部分である。本実施形態では無線ＬＡＮで設定端末７０からネットワーク装置３０へネットワーク装置２０の設定情報を送信するが、第四の実施形態のように、近距離無線を使用しても良い。
【０１０１】
このように設定情報生成装置１０、ネットワーク装置２０、ネットワーク装置３０および設定端末４０を構成することによって、ネットワーク装置を交換する際の設定の手間を軽減し、異なる機種への交換であっても設定を行うことが可能になる。
【０１０２】
次に、図１６に本実施形態の設定システムの動作の例を示す。ステップＳ２０４からステップＳ２１１は、第二の実施形態の動作例（図１０）と同じ動作である。
【０１０３】
まず、ネットワーク装置２０では、不揮発性メモリ２０６内のネットワーク設定情報を、変更があるごとにＮＦＣタグ３１０に書き込む（ステップＳ３０１）。必要に応じてＮＦＣタグへの書き込みデータに暗号化を行う等、セキュリティ対策を行っても良い。暗号化の際には、ネットワーク装置２０の製造番号等の装置識別情報を使用して、所定のアルゴリズムで暗号化することで、設定情報生成装置１０では暗号化解除ができるものとする。
【０１０４】
そして、ユーザが設定端末７０の操作受付部４１を介してネットワーク装置３０への設定指示を入力し、設定端末７０をネットワーク装置２０のＮＦＣタグにかざすと、第一の設定情報受信部７５は、ＮＦＣタグから設定情報を読み出す（ステップＳ３０２）。
【０１０５】
次に、設定情報生成装置１０と設定端末７０との間の接続を確立する（ステップＳ２０４）。図１４の例の場合、設定端末７０をモバイルネットワーク６０に接続する。また、設定情報生成装置１０と設定端末７０との間で認証を行う（ステップＳ２０５）。
【０１０６】
そして、設定情報生成装置１０へネットワーク装置３０の設定情報の送信を要求する（ステップＳ２０６）。このとき、設定端末７０は、新しいネットワーク装置３０の装置識別情報を設定情報生成装置１０へ送信する。また、合わせて、交換前のネットワーク装置２０の装置識別情報およびネットワーク装置２０から受信した設定情報を送信する。
【０１０７】
次に、設定情報生成装置１０は、設定端末７０からの設定情報の送信要求を受け付け、ネットワーク装置３０の設定情報を生成する（ステップＳ２０７）。そして、設定情報生成装置１０は、生成した設定情報を設定端末７０へ送信する（ステップＳ２０８）。
【０１０８】
次に、設定端末７０は、ネットワーク装置３０との接続、たとえば無線ＬＡＮ接続を確立する（ステップＳ２０９）。そして、設定端末７０は、設定情報生成装置１０から受信した設定情報をネットワーク装置３０へ送信する（ステップＳ２１０）。そして、ネットワーク装置３０は受信した設定情報に基づき、ネットワーク設定を行う（ステップＳ２１１）。
【０１０９】
このように設定情報生成装置１０、ネットワーク装置２０、ネットワーク装置３０および設定端末４０を動作させることによって、ネットワーク装置を交換する際の設定の手間を軽減し、異なる機種への交換であっても設定を行うことが可能になる。
【０１１０】
なお、以上の説明では、ネットワーク装置２０から設定端末７０への設定情報の送信を近距離無線で行う方法について述べたが、無線ＬＡＮ、Ｂｌｕｅｔｏｏｔｈ、赤外線通信等の無線通信で行うことも可能である。このとき、設定情報のバックアップは、ネットワーク装置２０で行っても良いし、設定端末７０で行っても良い。また、設定端末７０が受信した設定情報を設定情報生成装置１０へ送信して設定情報生成装置１０でバックアップを行っても良い。
【０１１１】
以上で説明したように、本発明の第五の実施形態でも、第一から第四の実施形態と同様に、第一の（交換前の）ネットワーク装置の第一の設定情報の少なくとも一部を第二の（新しい）ネットワーク装置に適合させた情報を含む第二の設定情報を生成する。そのため、ネットワーク装置を交換する際の設定の手間を軽減し、異なる機種への交換であっても設定を行うことが可能になる。
【０１１２】
また、交換前のネットワーク装置の設定情報から新しいネットワーク装置の設定情報を生成して設定するため、交換前のネットワーク装置に接続していた他の無線機器は、最小限の設定変更で新しいネットワーク装置に接続することが可能になる。
【０１１３】
さらに、本実施形態では、交換前のネットワーク装置の設定情報をＮＦＣタグ（無線タグ）にバックアップしておく。これにより、交換前のネットワーク装置がインターネットに接続できない状態であっても、設定情報を設定端末により読み出すことが可能になる。
【０１１４】
なお、上述する各実施の形態は、本発明の好適な実施の形態であり、本発明の要旨を逸脱しない範囲内において種々変更実施が可能である。
【０１１５】
上記の実施形態の一部又は全部は、以下の付記のようにも記載されうるが、以下には限られない。
【０１１６】
（付記１）
第一のネットワーク装置の第一の設定情報を受信する設定情報受信部と、
第二の設定情報の送信要求を受け付ける要求受付部と、
前記第一の設定情報の少なくとも一部を前記送信要求に対応する第二のネットワーク装置に適合させた情報を含む前記第二の設定情報を生成する設定情報生成部と、
前記第二の設定情報を送信する設定情報送信部と
を備えることを特徴とする設定情報生成装置。
【０１１７】
（付記２）
前記送信要求は、前記第二のネットワーク装置を特定する第二の装置識別情報を含み、
前記設定情報生成部は、あらかじめ記憶した、前記第二の装置識別情報に対応する前記第二の設定情報の生成用情報に基づいて、前記第一の設定情報から前記第二の設定情報を生成する
ことを特徴とする付記１に記載の設定情報生成装置。
【０１１８】
（付記３）
前記生成用情報は、前記第二の設定情報として必要な項目、前記項目の前記第二のネットワーク装置のメモリ内の格納場所、格納形式のうち少なくとも一つを含む
ことを特徴とする付記２に記載の設定情報生成装置。
【０１１９】
（付記４）
前記第二の設定情報は、前記格納場所を含む
ことを特徴とする付記３に記載の設定情報生成装置。
【０１２０】
（付記５）
前記設定情報受信部は、さらに、前記第一のネットワーク装置を特定する第一の装置識別情報を受信し、
前記送信要求は、さらに、前記第一の装置識別情報を含み、
前記設定情報生成部は、受信した前記第一の装置識別情報と前記第一の設定情報とを対応づけて記憶し、前記送信要求の前記第一の装置識別情報に対応する前記第一の設定情報から前記第二の設定情報を生成する
ことを特徴とする付記２から付記４のいずれかに記載の設定情報生成装置。
【０１２１】
（付記６）
前記設定情報送信部は、あらかじめ、前記第二の装置識別情報に対応する前記第二のネットワーク装置に無線で接続するための接続初期情報を記憶し、前記送信要求の前記第二の装置識別情報に対応する前記接続初期情報を送信する
ことを特徴とする付記２から付記５のいずれかに記載の設定情報生成装置。
【０１２２】
（付記７）
前記接続初期情報は、ＳＳＩＤ（Service Set Identifier）あるいは暗号化キーのうち少なくとも一つを含む
ことを特徴とする付記６に記載の設定情報生成装置。
【０１２３】
（付記８）
設定情報を記憶する設定情報記憶部と、
前記設定情報を送信する設定情報送信部と
を備えることを特徴とするネットワーク装置。
【０１２４】
（付記９）
前記設定情報送信部は、インターネット経由で前記設定情報を送信する
ことを特徴とする付記８に記載のネットワーク装置。
【０１２５】
（付記１０）
前記設定情報送信部は、前記設定情報が変更になるたびに前記設定情報を送信する
ことを特徴とする付記８あるいは付記９のいずれかに記載のネットワーク装置。
【０１２６】
（付記１１）
前記設定情報送信部は、近距離無線の無線タグを備え、前記設定情報を前記無線タグに書き込み、外部装置が前記無線タグを読み出すことで前記設定情報を送信する
ことを特徴とする付記８に記載のネットワーク装置。
【０１２７】
（付記１２）
前記設定情報送信部は、前記設定情報が変更になるたびに前記設定情報を前記無線タグに書き込む
ことを特徴とする付記１１に記載のネットワーク装置。
【０１２８】
（付記１３）
前記設定情報送信部は、無線ＬＡＮ（Local Area Network）経由、Ｂｌｕｅｔｏｏｔｈ（登録商標）経由、あるいは赤外線通信で前記設定情報を送信する
ことを特徴とする付記８に記載のネットワーク装置。
【０１２９】
（付記１４）
設定情報を受信する設定情報受信部と、
前記設定情報を記憶する設定情報記憶部と
を備えることを特徴とするネットワーク装置。
【０１３０】
（付記１５）
前記設定情報受信部は、無線ＬＡＮ経由、Ｂｌｕｅｔｏｏｔｈ（登録商標）経由、あるいは赤外線通信で前記設定情報を受信する
ことを特徴とする付記１４に記載のネットワーク装置。
【０１３１】
（付記１６）
前記設定情報受信部は、近距離無線の無線タグを備え、前記無線タグに外部装置が前記設定情報を書き込むことによって前記設定情報を受信し、前記無線タグから前記設定情報を読み出す
ことを特徴とする付記１４に記載のネットワーク装置。
【０１３２】
（付記１７）
ユーザの操作入力を受け付ける操作受付部と、
前記操作入力に従って第二のネットワーク装置の第二の設定情報の送信要求を送信する要求送信部と、
前記第二の設定情報を受信する第二の設定情報受信部と、
前記第二の設定情報を送信する第二の設定情報送信部と
を備えることを特徴とする設定端末。
【０１３３】
（付記１８）
前記送信要求は、前記第二のネットワーク装置を特定する第二の装置識別情報を含む
ことを特徴とする付記１７に記載の設定端末。
【０１３４】
（付記１９）
前記送信要求は、第一のネットワーク装置を特定する第一の装置識別情報を含む
ことを特徴とする付記１８に記載の設定端末。
【０１３５】
（付記２０）
前記第二の設定情報送信部は、無線ＬＡＮ経由、Ｂｌｕｅｔｏｏｔｈ（登録商標）経由、あるいは赤外線通信で前記第二の設定情報を送信する
ことを特徴とする付記１７から付記１９のいずれかに記載の設定端末。
【０１３６】
（付記２１）
前記第二の設定情報受信部は、さらに、前記第二のネットワーク装置に接続するための接続初期情報を受信し、
前記第二の設定情報送信部は、前記接続初期情報を用いて前記送信を行う
ことを特徴とする付記２０に記載の設定端末。
【０１３７】
（付記２２）
前記接続初期情報は、ＳＳＩＤあるいは暗号化キーのうち少なくとも一つを含む
ことを特徴とする付記２１に記載の設定端末。
【０１３８】
（付記２３）
前記第二の設定情報送信部は、前記第二のネットワーク装置が備える近距離無線の無線タグに前記第二の設定情報を書き込む
ことを特徴とする付記１７から付記１９のいずれかに記載の設定端末。
【０１３９】
（付記２４）
前記要求送信部は、モバイルネットワーク経由あるいは無線ＬＡＮ経由で前記送信要求を送信する
ことを特徴とする付記１７から付記２３のいずれかに記載の設定端末。
【０１４０】
（付記２５）
前記第二の設定情報受信部は、モバイルネットワーク経由あるいは無線ＬＡＮ経由で前記第二の設定情報を受信する
ことを特徴とする付記１７から付記２４のいずれかに記載の設定端末。
【０１４１】
（付記２６）
前記設定端末は、さらに、
第一のネットワーク装置の第一の設定情報を受信する第一の設定情報受信部と、
前記第一の設定情報を送信する第一の設定情報送信部と
を備えることを特徴とする付記１７から付記２５のいずれかに記載の設定端末。
【０１４２】
（付記２７）
前記第一の設定情報受信部は、前記第一のネットワーク装置が備える近距離無線の無線タグから前記第一の設定情報を読み出す
ことを特徴とする付記２６に記載の設定端末。
【０１４３】
（付記２８）
前記第一の設定情報受信部は、無線ＬＡＮ経由、Ｂｌｕｅｔｏｏｔｈ（登録商標）経由、あるいは赤外線通信で前記第一の設定情報を受信する
ことを特徴とする付記２６に記載の設定端末。
【０１４４】
（付記２９）
前記第一の設定情報送信部は、モバイルネットワーク経由あるいは無線ＬＡＮ経由で前記第一の設定情報を送信する
ことを特徴とする付記２６から付記２８のいずれかに記載の設定端末。
【０１４５】
（付記３０）
前記第一の設定情報送信部は、さらに、前記第一のネットワーク装置を特定する第一の装置識別情報を送信する
ことを特徴とする付記２６から付記２９のいずれかに記載の設定端末。
【０１４６】
（付記３１）
付記１から付記５のいずれかに記載の設定情報生成装置と、
第一のネットワーク装置と、
第二のネットワーク装置と、
を備え、
前記第一のネットワーク装置は、付記８から付記１３のいずれかに記載のネットワーク装置であり、
前記第二のネットワーク装置は、付記１４から付記１６のいずれかに記載のネットワーク装置であり、
前記第一のネットワーク装置の前記設定情報送信部は、前記第一の設定情報を前記設定情報生成装置の前記設定情報受信部に送信し、
前記第二のネットワーク装置の前記設定情報受信部は、前記設定情報生成装置の前記設定情報送信部から前記第二の設定情報を受信する
ことを特徴とする設定システム。
【０１４７】
（付記３２）
付記１から付記７のいずれかに記載の設定情報生成装置と、
第一のネットワーク装置と、
第二のネットワーク装置と、
付記１７から付記２５のいずれかに記載の設定端末と
を備え、
前記第一のネットワーク装置は、付記８から付記１０、付記１３のいずれかに記載のネットワーク装置であり、
前記第二のネットワーク装置は、付記１４から付記１６のいずれかに記載のネットワーク装置であり、
前記設定情報生成装置の前記設定情報受信部は、前記第一のネットワーク装置の前記設定情報送信部から前記第一の設定情報を受信し、
前記設定端末の前記要求送信部は、前記設定情報生成装置の前記要求受付部へ前記送信要求を送信し、
前記設定情報生成装置の前記設定情報送信部は、前記設定端末の前記第二の設定情報受信部へ前記第二の設定情報を送信し、
前記設定端末の前記第二の設定情報送信部は、前記第二のネットワーク装置の前記設定情報受信部へ前記第二の設定情報を送信する
ことを特徴とする設定システム。
【０１４８】
（付記３３）
付記１から付記７のいずれかに記載の設定情報生成装置と、
第一のネットワーク装置と、
第二のネットワーク装置と、
付記２６から付記３０のいずれかに記載の設定端末と
を備え、
前記第一のネットワーク装置は、付記１１から付記１３のいずれかに記載のネットワーク装置であり、
前記第二のネットワーク装置は、付記１４から付記１６のいずれかに記載のネットワーク装置であり、
前記設定端末の前記第一の設定情報受信部は、前記第一のネットワーク装置の前記設定情報送信部から前記第一の設定情報を受信し、
前記設定情報生成装置の前記設定情報受信部は、前記設定端末の前記第一の設定情報送信部から前記第一の設定情報を受信し、
前記設定情報生成装置の前記要求受付部は、前記設定端末の前記要求送信部から前記送信要求を受信し、
前記設定情報生成装置の前記設定情報送信部は、前記設定端末の前記第二の設定情報受信部へ前記第二の設定情報を送信し、
前記設定端末の前記第二の設定情報送信部は、前記第二のネットワーク装置の前記設定情報受信部へ前記第二の設定情報を送信する
ことを特徴とする設定システム。
【０１４９】
（付記３４）
第一のネットワーク装置の第一の設定情報を受信し、第二の設定情報の送信要求を受け付け、前記第一の設定情報の少なくとも一部を前記送信要求に対応する第二のネットワーク装置に適合させた情報を含む前記第二の設定情報を生成し、前記第二の設定情報を送信する
ことを特徴とする設定情報生成方法。
【０１５０】
（付記３５）
前記送信要求は、前記第二のネットワーク装置を特定する第二の装置識別情報を含み、
前記設定情報生成方法は、前記第二の装置識別情報に対応する前記第二の設定情報の生成用情報に基づいて、前記第一の設定情報から前記第二の設定情報を生成する
ことを特徴とする付記３４に記載の設定情報生成方法。
【０１５１】
（付記３６）
前記生成用情報は、前記第二の設定情報として必要な項目、前記項目の前記第二のネットワーク装置のメモリ内の格納場所、格納形式のうち少なくとも一つを含む
ことを特徴とする付記３５に記載の設定情報生成方法。
【０１５２】
（付記３７）
前記第二の設定情報は、前記格納場所を含む
ことを特徴とする付記３６に記載の設定情報生成方法。
【０１５３】
（付記３８）
前記送信要求は、さらに、前記第一のネットワーク装置を特定する第一の装置識別情報を含み、
前記設定情報生成方法は、さらに、前記第一の装置識別情報を受信し、受信した前記第一の装置識別情報と前記第一の設定情報とを対応づけて記憶し、前記送信要求の前記第一の装置識別情報に対応する前記第一の設定情報から前記第二の設定情報を生成する
ことを特徴とする付記３５から付記３７のいずれかに記載の設定情報生成方法。
【０１５４】
（付記３９）
あらかじめ、前記第二の装置識別情報に対応する前記第二のネットワーク装置に無線で接続するための接続初期情報を記憶し、前記第二のネットワーク装置の前記接続初期情報を送信する
ことを特徴とする付記３５から付記３８のいずれかに記載の設定情報生成方法。
【０１５５】
（付記４０）
前記接続初期情報は、ＳＳＩＤあるいは暗号化キーのうち少なくとも一つを含む
ことを特徴とする付記３９に記載の設定情報生成方法。
【０１５６】
（付記４１）
ネットワーク装置の設定情報記憶部に記憶した設定情報を送信する
ことを特徴とする設定情報送信方法。
【０１５７】
（付記４２）
インターネット経由で前記設定情報を送信する
ことを特徴とする付記４１に記載の設定情報送信方法。
【０１５８】
（付記４３）
前記設定情報記憶部の前記設定情報が変更になるたびに前記設定情報を送信する
ことを特徴とする付記４１あるいは付記４２のいずれかに記載の設定情報送信方法。
【０１５９】
（付記４４）
前記設定情報を前記ネットワーク装置の近距離無線の無線タグに書き込み、外部装置が前記無線タグを読み出すことで前記設定情報を送信する
ことを特徴とする付記４１に記載の設定情報送信方法。
【０１６０】
（付記４５）
前記設定情報記憶部の設定情報が変更になるたびに前記設定情報を前記無線タグに書き込む
ことを特徴とする付記４４に記載の設定情報送信方法。
【０１６１】
（付記４６）
無線ＬＡＮ経由、Ｂｌｕｅｔｏｏｔｈ（登録商標）経由、あるいは赤外線通信で前記設定情報を送信する
ことを特徴とする付記４１に記載の設定情報送信方法。
【０１６２】
（付記４７）
設定情報を受信し、前記設定情報をネットワーク装置の設定情報記憶部に記憶させる
ことを特徴とする設定情報受信方法。
【０１６３】
（付記４８）
無線ＬＡＮ経由、Ｂｌｕｅｔｏｏｔｈ（登録商標）経由、あるいは赤外線通信で前記設定情報を受信する
ことを特徴とする付記４７に記載の設定情報受信方法。
【０１６４】
（付記４９）
前記ネットワーク装置の近距離無線の無線タグに外部装置が前記設定情報を書き込むことによって前記設定情報を受信し、前記無線タグから前記設定情報を読み出す
ことを特徴とする付記４７に記載の設定情報受信方法。
【０１６５】
（付記５０）
ユーザの操作入力を受け付け、前記操作入力に従って第二のネットワーク装置の第二の設定情報の送信要求を送信し、前記第二の設定情報を受信し、前記第二の設定情報を送信する
ことを特徴とする設定方法。
【０１６６】
（付記５１）
前記送信要求は、前記第二のネットワーク装置を特定する第二の装置識別情報を含む
ことを特徴とする付記５０に記載の設定方法。
【０１６７】
（付記５２）
前記送信要求は、第一のネットワーク装置を特定する第一の装置識別情報を含む
ことを特徴とする付記５１に記載の設定方法。
【０１６８】
（付記５３）
前記第二の設定情報送信部は、無線ＬＡＮ経由、Ｂｌｕｅｔｏｏｔｈ（登録商標）経由、あるいは赤外線通信で前記第二の設定情報を送信する
ことを特徴とする付記５０から付記５２のいずれかに記載の設定方法。
【０１６９】
（付記５４）
前記第二のネットワーク装置に接続するための接続初期情報を受信し、前記接続初期情報を用いて前記送信を行う
ことを特徴とする付記５３に記載の設定方法。
【０１７０】
（付記５５）
前記接続初期情報は、ＳＳＩＤあるいは暗号化キーのうち少なくとも一つを含む
ことを特徴とする付記５４に記載の設定方法。
【０１７１】
（付記５６）
前記第二のネットワーク装置が備える近距離無線の無線タグに前記第二の設定情報を書き込む
ことを特徴とする付記５０から付記５２のいずれかに記載の設定方法。
【０１７２】
（付記５７）
モバイルネットワーク経由あるいは無線ＬＡＮ経由で前記送信要求を送信する
ことを特徴とする付記５０から付記５６のいずれかに記載の設定方法。
【０１７３】
（付記５８）
モバイルネットワーク経由あるいは無線ＬＡＮ経由で前記第二の設定情報を受信する
ことを特徴とする付記５０から付記５７のいずれかに記載の設定方法。
【０１７４】
（付記５９）
第一のネットワーク装置の第一の設定情報を受信し、前記第一の設定情報を送信する
ことを特徴とする付記５０から付記５８のいずれかに記載の設定方法。
【０１７５】
（付記６０）
前記第一のネットワーク装置が備える近距離無線の無線タグから前記第一の設定情報を読み出す
ことを特徴とする付記５９に記載の設定方法。
【０１７６】
（付記６１）
無線ＬＡＮ経由、Ｂｌｕｅｔｏｏｔｈ（登録商標）経由、あるいは赤外線通信で前記第一の設定情報を受信する
ことを特徴とする付記５９に記載の設定方法。
【０１７７】
（付記６２）
モバイルネットワーク経由あるいは無線ＬＡＮ経由で前記第一の設定情報を送信する
ことを特徴とする付記５９から付記６１のいずれかに記載の設定方法。
【０１７８】
（付記６３）
前記第一のネットワーク装置を特定する第一の装置識別情報を送信する
ことを特徴とする付記５９から付記６２のいずれかに記載の設定方法。
【０１７９】
（付記６４）
コンピュータに、
第一のネットワーク装置の第一の設定情報を受信する設定情報受信手段と、
第二の設定情報の送信要求を受け付ける要求受付手段と、
前記第一の設定情報の少なくとも一部を前記送信要求に対応する第二のネットワーク装置に適合させた情報を含む前記第二の設定情報を生成する設定情報生成手段と、
前記第二の設定情報を送信する設定情報送信手段と
を実現させることを特徴とする設定情報生成プログラム。
【０１８０】
（付記６５）
前記送信要求は、前記第二のネットワーク装置を特定する第二の装置識別情報を含み、
前記設定情報生成手段は、あらかじめ前記コンピュータに記憶した、前記第二の装置識別情報に対応する前記第二の設定情報の生成用情報に基づいて、前記第一の設定情報から前記第二の設定情報を生成する
ことを特徴とする付記６４に記載の設定情報生成プログラム。
【０１８１】
（付記６６）
前記生成用情報は、前記第二の設定情報として必要な項目、前記項目の前記第二のネットワーク装置のメモリ内の格納場所、格納形式のうち少なくとも一つを含む
ことを特徴とする付記６５に記載の設定情報生成プログラム。
【０１８２】
（付記６７）
前記第二の設定情報は、前記格納場所を含む
ことを特徴とする付記６６に記載の設定情報生成プログラム。
【０１８３】
（付記６８）
前記設定情報受信手段は、さらに、前記第一のネットワーク装置を特定する第一の装置識別情報を受信し、
前記送信要求は、さらに、前記第一の装置識別情報を含み、
前記設定情報生成手段は、受信した前記第一装置識別情報と前記第一の設定情報とを対応づけて前記コンピュータに記憶させ、前記送信要求の前記第一の装置識別情報に対応する前記第一の設定情報から前記第二の設定情報を生成する
ことを特徴とする付記６５から付記６７のいずれかに記載の設定情報生成プログラム。
【０１８４】
（付記６９）
前記設定情報送信手段は、前記第二の装置識別情報に対応する、あらかじめ前記コンピュータに記憶した、前記第二のネットワーク装置に無線で接続するための接続初期情報を送信する
ことを特徴とする付記６５から付記６８のいずれかに記載の設定情報生成プログラム。
【０１８５】
（付記７０）
前記接続初期情報は、ＳＳＩＤあるいは暗号化キーのうち少なくとも一つを含む
ことを特徴とする付記６９に記載の設定情報生成プログラム。
【０１８６】
（付記７１）
コンピュータに、
ネットワーク装置の設定情報記憶部に記憶された設定情報を送信する設定情報送信手段
を実現させることを特徴とする設定情報送信プログラム。
【０１８７】
（付記７２）
前記設定情報送信手段は、インターネット経由で前記設定情報を送信する
ことを特徴とする付記７１に記載の設定情報送信プログラム。
【０１８８】
（付記７３）
前記設定情報送信手段は、前記設定情報が変更になるたびに前記設定情報を送信する
ことを特徴とする付記７１あるいは付記７２のいずれかに記載の設定情報送信プログラム。
【０１８９】
（付記７４）
前記設定情報送信手段は、前記設定情報を前記ネットワーク装置の近距離無線の無線タグに書き込み、外部装置が前記無線タグを読み出すことで前記設定情報を送信する
ことを特徴とする付記７１に記載の設定情報送信プログラム。
【０１９０】
（付記７５）
前記設定情報送信手段は、前記設定情報が変更になるたびに前記設定情報を前記無線タグに書き込む
ことを特徴とする付記７４に記載の設定情報送信プログラム。
【０１９１】
（付記７６）
前記設定情報送信手段は、無線ＬＡＮ経由、Ｂｌｕｅｔｏｏｔｈ（登録商標）経由、あるいは赤外線通信で前記設定情報を送信する
ことを特徴とする付記７１に記載の設定情報送信プログラム。
【０１９２】
（付記７７）
コンピュータに、
設定情報を受信し、ネットワーク装置の設定情報記憶部に記憶させる設定情報受信手段
を実現させることを特徴とする設定情報受信プログラム。
【０１９３】
（付記７８）
前記設定情報受信手段は、無線ＬＡＮ経由、Ｂｌｕｅｔｏｏｔｈ（登録商標）経由、あるいは赤外線通信で前記設定情報を受信する
ことを特徴とする付記７７に記載の設定情報受信プログラム。
【０１９４】
（付記７９）
前記設定情報受信手段は、前記ネットワーク装置の近距離無線の無線タグに外部装置が前記設定情報を書き込むことによって前記設定情報を受信し、前記無線タグから前記設定情報を読み出す
ことを特徴とする付記７７に記載の設定情報受信プログラム。
【０１９５】
（付記８０）
コンピュータに、
ユーザの操作入力を受け付ける操作受付手段と、
前記操作入力に従って第二のネットワーク装置の第二の設定情報の送信要求を送信する要求送信手段と、
前記第二の設定情報を受信する第二の設定情報受信手段と、
前記第二の設定情報を送信する第二の設定情報送信手段と
を実現させることを特徴とする設定端末プログラム。
【０１９６】
（付記８１）
前記送信要求は、前記第二のネットワーク装置を特定する第二の装置識別情報を含む
ことを特徴とする付記８０に記載の設定端末プログラム。
【０１９７】
（付記８２）
前記送信要求は、第一のネットワーク装置を特定する第一の装置識別情報を含む
ことを特徴とする付記８１に記載の設定端末プログラム。
【０１９８】
（付記８３）
前記第二の設定情報送信手段は、無線ＬＡＮ経由、Ｂｌｕｅｔｏｏｔｈ（登録商標）経由、あるいは赤外線通信で前記第二の設定情報を送信する
ことを特徴とする付記８０から付記８２のいずれかに記載の設定端末プログラム。
【０１９９】
（付記８４）
前記第二の設定情報受信手段は、さらに、前記第二のネットワーク装置に接続するための接続初期情報を受信し、
前記第二の設定情報送信手段は、前記接続初期情報を用いて前記送信を行う
ことを特徴とする付記８３に記載の設定端末プログラム。
【０２００】
（付記８５）
前記接続初期情報は、ＳＳＩＤあるいは暗号化キーのうち少なくとも一つを含む
ことを特徴とする付記８４に記載の設定端末プログラム。
【０２０１】
（付記８６）
前記第二の設定情報送信手段は、前記第二のネットワーク装置が備える近距離無線の無線タグに前記第二の設定情報を書き込む
ことを特徴とする付記８０から付記８２のいずれかに記載の設定端末プログラム。
【０２０２】
（付記８７）
前記要求送信手段は、モバイルネットワーク経由あるいは無線ＬＡＮ経由で前記送信要求を送信する
ことを特徴とする付記８０から付記８６のいずれかに記載の設定端末プログラム。
【０２０３】
（付記８８）
前記第二の設定情報受信手段は、モバイルネットワーク経由あるいは無線ＬＡＮ経由で前記第二の設定情報を受信する
ことを特徴とする付記８０から付記８７のいずれかに記載の設定端末プログラム。
【０２０４】
（付記８９）
前記設定端末プログラムは、コンピュータに、さらに、
第一のネットワーク装置の第一の設定情報を受信する第一の設定情報受信手段と、
前記第一の設定情報を送信する第一の設定情報送信手段と
を実現させることを特徴とする付記８０から付記８８のいずれかに記載の設定端末プログラム。
【０２０５】
（付記９０）
前記第一の設定情報受信手段は、前記第一のネットワーク装置が備える近距離無線の無線タグから前記第一の設定情報を読み出す
ことを特徴とする付記８９に記載の設定端末プログラム。
【０２０６】
（付記９１）
前記第一の設定情報受信手段は、無線ＬＡＮ経由、Ｂｌｕｅｔｏｏｔｈ（登録商標）経由、あるいは赤外線通信で前記第一の設定情報を受信する
ことを特徴とする付記８９に記載の設定端末プログラム。
【０２０７】
（付記９２）
前記第一の設定情報送信手段は、モバイルネットワーク経由あるいは無線ＬＡＮ経由で前記第一の設定情報を送信する
ことを特徴とする付記８９から付記９１のいずれかに記載の設定端末プログラム。
【０２０８】
（付記９３）
前記第一の設定情報送信手段は、さらに、前記第一のネットワーク装置を特定する第一の装置識別情報を送信する
ことを特徴とする付記８９から付記９２のいずれかに記載の設定端末プログラム。
【符号の説明】
【０２０９】
１０    設定情報生成装置
１１    設定情報受信部
１２    要求受付部
１３    設定情報生成部
１４    設定情報送信部
２０、３０、７０    ネットワーク装置
２１    設定情報記憶部
２２    設定情報送信部
３３    設定情報受信部
４０、７０    設定端末
４１    操作受付部
４２    要求送信部
４３    設定情報受信部
４４    設定情報送信部
７３    第二の設定情報受信部
７４    第二の設定情報送信部
７５    第一の設定情報受信部
７６    第一の設定情報送信部
【図１】
0006392709.tif 000002
【図２】
0006392709.tif 000003
【図３】
0006392709.tif 000004
【図４】
0006392709.tif 000005
【図５】
0006392709.tif 000006
【図６】
0006392709.tif 000007
【図７】
0006392709.tif 000008
【図８】
0006392709.tif 000009
【図９】
0006392709.tif 000010
【図１０】
0006392709.tif 000011
【図１１】
0006392709.tif 000012
【図１２】
0006392709.tif 000013
【図１３】
0006392709.tif 000014
【図１４】
0006392709.tif 000015
【図１５】
0006392709.tif 000016
【図１６】
0006392709.tif 000017
【図１７】
0006392709.tif 000018